(57)【要約】【課題】すの子状の筆巻き具による筆の巻き締めが緩むことによって内部の筆が長さ方向にずれ動く不都合を防止することである。【解決手段】すの子状の筆巻き具本体１１の内面にポケット２１付きの巻き布１２を取り付け、前記ポケット２１に筆１８を差し込み、本体１１を外側、巻き布１２を内側として筆１８を巻き込み、巻き込み後外周面に巻き締め具１４を巻き付けて留めるようにした。【選択図】図１
2011025649.tif 000002
【特許請求の範囲】
【請求項１】
すの子状の筆巻き具本体１１と、その筆巻き具本体１１の内面に沿って取り付けられた巻き布１２と、その巻き布１２を筆巻き具本体１１に取り付ける取り付け部材と、前記筆巻き具本体１１に取り付けられた巻き締め具１４とからなり、前記巻き布１２の内面に所要数のポケット２１を設け、前記巻き布１２を前記取り付け部材の介在によって筆巻き具本体１１に取り付け、前記ポケット２１に筆１８を差し込み、前記巻き布１２を内側に、筆巻き具本体１１を外側にして筆１８を巻き込み、前記巻き締め具１４によって巻き締め状態に留めるようにした筆巻き具。
【請求項２】
前記巻き布１２は、筆１８の軸部２２を覆う幅に形成され、前記ポケット２１に差した筆１８の穂先１９が前記巻き布１２の上端よりも上方にある請求項１に記載の筆巻き具。
【請求項３】
前記取り付け部材は、前記筆巻き具本体１１の外面に沿って設けられた当て布１３からなり、その当て布１３が筆１８の軸部２２の範囲に配置されるとともに筆巻き具本体１１のひご１６相互間の隙間を通して前記当て布１３に縫合され、その縫合により前記巻き布１２が筆巻き具本体１１に取り付けられた請求項１又は２に記載の筆巻き具。
【請求項４】
前記取り付け部材は、前記筆巻き具本体１１内面の巻き始め側となる側縁に接合された面ファスナー２８の一方のファスナー要素２８ａと、前記巻き布１２外面の巻き始め側となる側縁に取り付けられた他方のファスナー要素２８ｂとからなり、前記巻き布１２が前記面ファスナー２８によって筆巻き具本体１１に取り付けられた請求項１又は２に記載の筆巻き具。
【請求項５】
前記巻き締め具１４は、前記筆巻き具本体１１の巻き終わり側に一端部が取り付けられ、他端部が面ファスナー２４を介して前記当て布１３外表面に取り付けられた請求項１から４のいずれかに記載の筆巻き具。
【請求項６】
前記巻き締め具１４は、前記筆巻き具本体１１の巻き終わり側の側縁に取り付けられたゴム紐３２と、そのゴム紐３２の先端に取り付けられた留め片３３とからなり、前記ゴム紐３２は前記筆巻き具本体１１の周りを１周以上巻き付け得る長さを有し、前記留め片３３の裏面に前記ひご１６間の隙間に差し込み得る厚さの係合部３５が形成され、前記ゴム紐３２が前記係合部３５の長さ方向の中間点となる位置に設けられた穴３６に取り付けられた請求項１から５のいずれかに記載の筆巻き具。
【発明の詳細な説明】
【技術分野】
【０００１】  この発明は、書道、墨絵等の分野で用いられる「すの子」状の筆巻き具に関するものである。
【背景技術】
【０００２】  筆に墨を浸して書や絵を描く書道や墨絵等の分野においては、筆を携行する際の用具として、古くから、すの子状の筆巻き具が用いられる（特許文献１参照）。その筆巻き具は、所定間隔をおいて並行に配置した複数の縦糸に対し、横方向に側板、次に多数のひご、最後に他方の側板を順に織り込んだすの子状のものである。前記のひご部分に複数本の筆をひごの長さ方向に配置し、一方の側板を巻き始めとして筆を巻き込み、巻き終わり側の側板に取り付けた巻き締め具により巻き締め状態に留めるようになっている。【０００３】  前記の巻き締め具は、筆巻き具の回りを１周以上巻き締めることができる程度の長さの紐と、その紐の先端に取り付けた留め片からなるものである。先に巻き付けた紐と筆巻き具外周面の間に留め片を差し込むことにより、筆巻き具を巻き締め状態に留めるようにしている。
【特許文献１】  特開２００４−８６９１号公報（「従来の技術」の項参照）
【発明の開示】
【発明が解決しようとする課題】
【０００４】  筆を携行する際、書や絵の内容に応じて使い分けができるように、太さや毛の材質の異なった複数本の筆を携行するのが通常である。複数本の筆を前記の筆巻き具に巻き込み締め付け具によって巻き締め状態に留め、これを鞄等に入れて携行することが行われる。この筆巻き具は、これに巻き込む筆の数に自由に対応できる融通性を持ち、また、通気性も良好であり筆の穂先が乾き易いという便利さがある。【０００５】  しかし、筆は軸部が竹、プラスチック等の滑り易い素材で形成されていること、筆巻き具も竹やプラスチック等を素材としたひごにより製作され、そのひごが筆の長さ方向に配列されていることから、携行の途中において、筆が長さ方向に滑り易い傾向がある。また、巻き締め具の留め片の位置がずれたり、外れたりして巻き締め具による締め付けが緩み易い問題もある。【０００６】  巻き込んだ筆が長さ方向に滑り、筆の穂先が筆巻き具から外部に露出することがあると、穂先が他の物に触れて曲り癖が付くという不都合が発生する。【０００７】  そこで、この発明は、筆が滑ったり、ずれ動いたりすることがなく、また巻き締め具が緩み難い筆巻き具を提供することを課題とする。
【発明の開示】
【課題を解決するための手段】
【０００８】  前記の課題を解決するために、この発明に係る筆巻き具は、すの子状の筆巻き具本体１１と、その筆巻き具本体１１の内面に沿って取り付けられた巻き布１２と、その巻き布１２を筆巻き具本体１１に取り付ける取り付け部材と、前記筆巻き具本体１１に取り付けられた巻き締め具１４とからなり、前記巻き布１２の内面に所要数のポケット２１を設け、前記巻き布１２を前記取り付け部材の介在によって筆巻き具本体１１に取り付け、前記ポケット２１に筆１８を差し込み、前記巻き布１２を内側に、筆巻き具本体１１を外側にして筆１８を巻き込み、前記巻き締め具１４によって巻き締め状態に留めるようにしたものである。【０００９】  前記の巻き布１２は、筆１８の軸部２２を覆う幅に形成され、前記ポケット２１に差した筆１８の穂先１９が前記巻き布１２の上端より上方にあるようにすることが望ましい。【００１０】  前記の取り付け部材は、前記筆巻き具本体１１の外面に沿って設けられた当て布１３からなり、その当て布１３が筆１８の軸部２２の範囲に配置されるとともに筆巻き具本体１１のひご１６相互間の隙間を通して前記当て布１３に縫合され、その縫合により前記巻き布１２が筆巻き本体１１に取り付けられた構造である。
【発明の効果】
【００１１】  前記巻き布１２のポケット２１に所要数の筆１８を差し込んだ状態で、筆巻き具本体１１を外側、巻き布１２を内側として巻き込むと、筆１８はポケット２１の内部において、巻き布１２に接触した状態で巻き込まれる。これにより、筆巻き具本体１１に対する筆１８の摩擦が増大する。また、巻き締め具１４によって巻き締められることにより筆１８の摩擦一層が増大する。このため筆１８、筆巻き具本体１１に対して滑ったり、ずれ動いたりすることがなく、安定よく保持される。【００１２】  前記の巻き布１２の幅を筆の軸部２０を覆う大きさに形成し、ポケット２１に差した筆１８の穂先１９が巻き布１２の上端より上方に出るようにすることにより、穂先１９部分の通気性を確保することができる。
さらに、巻き締め具１４として、面ファスナー２４を使用する場合は緩み難くい利点がある。また、巻き締め具１４が、ゴム紐３２の先端に留め片３３を取り付けた構造の場合は、留め片３３の裏面に係合部３５を設け、前記ゴム紐３２をその係合部３５の長さ方向の中間点に取り付けることにより、ひご１６の隙間に差し込んだ係合部３５にひご１６と直角方向の均等な張力を付与することができ、留め片３３が安定する。
【図面の簡単な説明】
【００１３】
【図１】は、実施形態１の内面側の斜視図である。
【図２】は、同じく外面側の斜視図である。
【図３】は、同じく一部拡大断面図である。
【図４】は、同じく巻き込み状態の断面図である。
【図５】は、実施形態２の内面側の斜視図である。
【図６】は、同じく一部拡大断面図である。
【図７】は、同じく巻き締め状態の断面図である。
【図８】は、同じく巻き締め状態の一部省略正面図である。
【図９】は、同じく留め片の変形例の斜視図である。
【図１０】は、留め片の変形例を用いた場合の巻き締め状態の一部省略正面図である。
【図１１】は、図１０のＸ−Ｘ線の拡大断面図である。
【図１２】は、前記留め片の変形例の使用状態を示す一部拡大斜視図である。
【図１３】は、図１２の場合の巻き締め状態の一部拡大断面図である。
【発明を実施するための形態】
【００１４】  以下、添付図面に基づきこの発明の実施の形態を説明する。
［実施形態１］
図１から図４に示した実施形態１に係る筆巻き具は、筆巻き具本体１１（以下、単に「本体１１」と称する。）と、その内面に沿って配置された巻き布１２、本体１１の外面に沿って配置された当て布１３（図２参照）及び本体１１の巻き終わり側の側縁に一端部が取り付けられた帯状の巻き締め具１４とにより構成される。
【００１５】本体１１は、両側部に配置された側板１５、１５の間に多数のひご１６を細かい間隔で配置し、これらの側板１５、１５とひご１６を所定の間隔をおいて並行に配置された縦糸１７によって織り込んだ一種の織物であり、通常は「すの子」と称される。縦糸１７の間隔は粗密さまざまであり、その配置と密度が一種の模様を形成する。
【００１６】  表裏の区別はないが、この発明においては、巻き込まれる側の面を内面と称し、その反対側の面を外面と称する。また、側板１５の長さ方向と同方向を、本体１１、巻き布１２、当て布１３等についても長さ方向と称し、その大きさを長さと称する。また、前記の長さ方向に直交する方向を幅方向と称し、その大きさを幅と称する。また、筆１８を後述のポケット２１に差した状態において、筆１８の穂先１９側の方向を上方と称し、上方の端部を上端と称する。反対側の方向を下方、下方の端部を下端と称する。
【００１７】  前記本体１１の長さは、これに巻き込まれる筆１８の全長より長い範囲で携行し易い大きさに設定される。幅は、本体１１の長さに等しい程度に設定される。
【００１８】  前記本体１１の内面に布製の巻き布１２が配置される。巻き布１２の長さは、本体１１の長さの１／２〜１／３程度の大きさに設定される。また、その幅は、ポケット２１の弛みを作って本体１１に取り付けた状態で、本体１１のひご１６部分全体の幅と同一になるように設定される。
【００１９】  前記の巻き布１２は、本体１１の長さ方向の中間部か、中間部より多少下方に寄った位置に取り付けられる。この巻き布１２には、幅方向に５〜６か所の縦縫い目２０によって区分されたポケット２１が形成される。ポケット２１は、複数本の筆１８を同時に差し込むことができるように、幅方向の弛みをもって形成される。
【００２０】  前記のポケット２１のうち、筆１８を差し込むために使用されるものは、その上下両端部が解放される。このため、筆１８の穂先１９及び軸部２２の下端部はポケット２１の上下両端から外部に露出する。筆１８は、後述のように、本体１１によって巻き締められて安定するので、ポケット２１の下端を閉鎖して底を作る必要はなく、ポケット２１は筆１８を本体１１の長さ方向及び幅方向に位置決めする機能があればよい。また、軸部２２が相対的に長い筆１８の場合であっても、穂先１９の位置を大体揃えることができる便利さもある。ただし、筆１８以外の小型の事務用品、例えば、鉛筆、消しゴム等も収納することを考慮して、１〜２か所のポケット２１においては、底縫い目２３を施し、下端を閉塞したものとしている。
【００２１】  前記の巻き布１２は、本体１１と直接縫合することは困難であるので、図２及び図３に示したように、本体１１に対する取り付け部材としての当て布１３を用い、これを本体１１の外面に添わせている。当て布１３は、前記の巻き布１２と同一サイズであり、巻き布１２と同一位置において本体１１のひご１６の部分を挟んで表裏対向している（図３参照）。巻き布１２と当て布１３とは、ひご１６の隙間を通した縦縫い目２０及び底縫い目２３によって縫合される。その縫合により、巻き布１２が本体１１に取り付けられ、当て布１３が本体１１に対する取り付け部材としての機能を果す。
【００２２】  本体１１の巻き終わり側となる側板１５の近くにおいて、前記当て布１３に帯状の巻き締め具１４の一端部が縫合される。巻き締め具１４の長さは、巻き丸めた本体１１の外周面の半周程度の長さに設定される。その巻き締め具１４の先端部内面に面ファスナー２４（図４参照）の一方のファスナー要素２４ａが取り付けられ、これに対向して当て布１３の外面に他方のファスナー要素２４ｂが取り付けられる。ファスナー要素２４ｂは、本体１１の巻きの太さに対応して巻き締め具１４側のファスナー要素２４ａと係合可能となるよう適宜な長さに設定される。
【００２３】  実施形態１の筆巻き具は以上のように構成され、その使用に際しては、図１に示したように巻き布１２を上にして広げ、所要数の筆１８を各ポケット２１に分散して差し込む。一つのポケット２１に複数本の筆１８を差し込んでもよい。
【００２４】  筆１８の穂先１９は、通風性を確保するために、巻き布１２の上端と本体１１の上端の間のひご１６の部分に位置させる。筆１８の軸部２２の下端部は当て布１２の下端と本体１１の下端の間に位置させる。図示を省略しているが、底縫い目２３のあるポケット２１には、鉛筆や消しゴム等の小型の事務用具が収納される。
【００２５】  前記の収納状態から、巻き締め具１４を設けた側と反対側の側板１５側を巻き始めとして本体１１を外側、巻き布１２を内側として巻き込むと、図４に示したように、筆１８の軸部２２がポケット２１の部分で巻き布１２に接触して巻き込まれる。最後に巻き締め具１４を巻き締めて面ファスナー２４によって本体１１の外面の当て布１３の周りで留める。
【００２６】  筆１８は、巻き布１２に接触することによって摩擦が付与される。さらに巻き締め具１４による巻き締めによって摩擦抵抗が増え、長さ方向への移動が拘束される。このため、筆１８が長さ方向へずれ動くことが防止される。また、面ファスナー２４の強固な結合力により、巻き締め具２４が緩むことはない。
【００２７】  １つのポケット２１に複数本の筆１８を差し込んだ場合は、軸部２２相互が接触するので、その分摩擦が減る。しかし、各筆１８の軸部２２に巻き布１２が接触することによる摩擦と、巻き締め具１４の巻き締め力の協同作用により、大きな摩擦が生じ、筆１８は本体１１の内部に拘束されずれ動く恐れはない。
【００２８】  ［実施形態２］
図５から図８に示した実施形態２の筆巻き具は、本体１１は前記実施形態１の場合と同一構造であるが、巻き布１２及び巻き締め具１４の具体的な構造において以下のような相違がある。
【００２９】  すなわち、巻き布１２は、基布２６と、これより短いポケット布２７からなり、両方の下端を揃えて重ね、ポケット布２７を所定間隔で弛みを持たせて縦縫い目２０及び底縫い目２３で基布２６と縫合し、５〜６か所のポケット２１を形成している。この場合は、すべてのポケット２１に底縫い目２３を施すことにより、各ポケット２１は上端開放、下端閉塞となっている。
【００３０】  前記の基布２６及びこれに縫合されたポケット布２７は、本体１１から分離された状態で縫合製作される。その後において、取り付け部材としての面ファスナー２８（図６参照）によって本体１１に取り付けられる。
【００３１】  面ファスナー２８による取り付け構造は、図６に示したように、巻き始め側の側板１５に沿った数本のひご１６の内面側に面ファスナー２８の一方のファスナー要素２８ａを接着する。また、他方のファスナー要素２８ｂを前記巻き布１２の基布２６の巻き始め側の端部の裏面に接着する。
【００３２】  前記の面ファスナー２８によって巻き布１２を本体１１に対して取り付ける。その取り付け状態においては、巻き布１２は、取り付け部分においてのみ本体１１に固定され、他の部分は本体１１に対して分離された自由な状態となる。
【００３３】  この場合の巻き締め具１４は、筆１８を巻き込んだ状態の本体１１の周りを１周以上巻くことができる長さの紐２９（図６参照）と、その先端に取り付けられた留め片３１とからなり、その紐２９の一端部を巻き終わり側の側板１５に固定するようにしている。このような巻き締め具１４は、従来から使用されているものである。本体１１も従来の場合と同様であるから、本体１１とこれに前記の巻き締め具１４を取り付けたものは、従来から市販されているものを使用することができる。
【００３４】  実施形態２の筆巻き具は以上のようなものであり、前記の実施形態１の場合と同様に使用されるが、巻き締め具１４は、紐２９を１〜３回巻き、その後、紐２９と本体１１の隙間に留め片３１を差し込んで留める（図７及び図８参照）。この留め方は、従来の場合と同様に弛み易い問題があるが、前記の巻き布１２が筆１８に対する摩擦を与えるため、従来の場合より筆１８は滑り難く、またずれ動き難い。
【００３５】  ［実施形態３］
図９から図１１は、前記の実施形態１及び２の場合の巻き締め具１４として使用できる、一層改良したものである。この改良型の巻き締め具１４は、巻き込んだ本体１１の周りを緊縛状態で１〜３回程度巻ける長さのゴム紐３２と留め片３３とからなる。留め片３３は、舟形部３４と、その舟形部３４の裏面においてその先端方向を見て左側辺に沿って９０度裏面側に屈曲した係合部３５を設けている。
【００３６】  係合部３５は、舟形部３４の先端部の三角形に尖った部分までは達せず、後端から三角形部の手前までの範囲に形成される。舟形部３４の幅は、ひご１６の数本程度の幅に形成される。また、係合部３５の厚さは、ひご１６間の隙間に差し込める程度に形成される（図１１参照）。差し込み側となる係合部３５の先端部分を尖らせることにより、前記の隙間に差し込み易くなる。
【００３７】  舟形部３４と係合部３５の部分の断面形状は、図１１に示したように、逆Ｌ字形になっている。その係合部３５の長さ方向の中間点の舟形部３４に穴３６が形成され、ゴム紐３２の一端がこの穴３６に取り付けられる。ゴム紐３２は、係合部３５と反対側の側縁と直交する方向に引き出される。ゴム紐３２の他端は前記と同様巻き終わり側の側板１５に固定される。
【００３８】  この場合の巻き締め具１４は、ゴム紐３２を緊張させながら本体１１の周りを１〜３回巻き締め、緊張状態を保ったまま留め片３３の舟形部３４の先端部を先に巻いたゴム紐３２と本体１１の間に、上方から下方に向けてひご１６の長さ方向に差し込む（図１０参照）。舟形部３４に対し指先で押し圧力を加えることにより、係合部３５がひご１６間の隙間に入り込み、ひご１６の長さと直角方向、すなわち、ゴム紐３２による引っ張り方向に対して係合状態となる。
【００３９】  ゴム紐３２の張力は係合部３５の中間点の両側に均等に、しかも同方向に作用するため留め片３３に作用する張力はバランスし、回転力は作用しない。このため、留め片３３は安定よく係合状態を保ち、本体１１の巻き締め状態を保持する。前記の取り付け穴３６が係合部３５の中間点にない場合は、ゴム紐３２から受ける張力がバランスしないため、留め片３３に回転力が作用し、留め片３３は外れる不具合がある。このような回転力の発生を避けるため、従来の場合は（図８の巻き締め具１４参照）、紐２９が張力を発生することがないよう繊維紐を使用している。
【００４０】  なお、留め片３３を前記と反対に下方から上方に向けてゴム紐３２の内側に差し込むとすると、ゴム紐３２が係合部３５を横断することになり、係合部３５のひご１６間への差し込みが妨げられる。このため、図１０に示したように、ゴム紐３２が係合片３５と反対側へ延びる向きに留め片３３の差し込み方向を限定する必要がある。
【００４１】  留め片３３の差し込みにおけるこのような限定をなくするために、図１２及び図１３に示したように、舟形部３４の裏面に係合部３５をＴ字形に突き出して設けるとよい。また、ゴム紐３２の取り付け用の穴３６を舟形部３４の表面に突き出して設けたリング状突起３７に設ける。取り付け用の穴３６の位置は、係合部３５の長さ方向の中間点にあるようにリング状突起３７の位置が設定される。
【００４２】  この場合も係合部３５がひご１６の隙間に差し込まれ、ゴム紐３２の張力が係合片３５の中間点の両側に均等に作用する。このため、前記と同様に、留め片３３に回転力が作用せず安定よく保持される。
【００４３】  この留め片３３は、上方から下向きに差し込んでも、その反対に方向に差し込んでも、ゴム紐３２が係合部３５の差し込みに支障を来すことがない。このため、留め片３３は差し込み方向を問わず、上下いずれの方向からも差し込むことができる。
【符号の説明】
【００４４】１１  筆巻き具本体（本体）
１２  巻き布
１３  当て布
１４  巻き締め具
１５  側板
１６  ひご
１７  縦糸
１８  筆
１９  穂先
２０  縦縫い目
２１  ポケット
２２  軸部
２３  底縫い目
２４  面ファスナー
２４ａ、２４ｂ  ファスナー要素
２６  基布
２７  ポケット布
２９  紐
３１  留め片
３２  ゴム紐
３３  留め片
３４  舟形部
３５  係合部
３６  穴
３７  リング状突起
【図１】
2011025649.tif 000003
【図２】
2011025649.tif 000004
【図３】
2011025649.tif 000005
【図４】
2011025649.tif 000006
【図５】
2011025649.tif 000007
【図６】
2011025649.tif 000008
【図７】
2011025649.tif 000009
【図８】
2011025649.tif 000010
【図９】
2011025649.tif 000011
【図１０】
2011025649.tif 000012
【図１１】
2011025649.tif 000013
【図１２】
2011025649.tif 000014
【図１３】
2011025649.tif 000015